(57)【要約】【課題】  光透過性基材に形成された装飾模様を可視領域の光を利用して任意の色で輝光表示を可能にし、かつ変化に富んだ見栄えの良い装飾用パネルを提供する。【解決手段】  基材１１の裏面１１ｂに多数の反射面１２１を基材１１の裏面１１ｂに沿い配列形成することで装飾模様１２を構成する。多数の反射面１２１で反射される光の輝度に１／ｆゆらぎの明暗を生じさせて装飾模様１２に光の明暗を付ける。さらに、基材１１を透過して光反射部材１６に到達した光１５ｃを回折し、この回折光を反射面１２１に向け反射させることにより、装飾模様１２を際立たせるとともに上記光の明暗に合わせた濃淡色に着色する。【選択図】  図６
2009269222.tif 000002
【特許請求の範囲】
【請求項１】
光入射面及び該光入射面と反対の面の少なくとも一方の面に装飾模様を有する有色透明または無色透明もしくは有色半透明な基材と、
前記基材の前記光入射面と反対の面に空間を介して対向配置され、前記基材を透過した光を少なくとも前記装飾模様の箇所に向け反射させる光反射部材とを備え、
前記装飾模様は、前記基材に入射される入射光を反射しまたは透過するとともに前記反射する光の輝度に不規則に変化する１／ｆゆらぎを与えて前記装飾模様に光の明暗を生じさせるための三次元形状を呈する複数の反射面を前記少なくとも一方の面に沿い配列形成することで構成される、
ことを特徴とする装飾用パネル。
【請求項２】
前記光反射部材は、該光反射部材で反射される反射光が前記装飾模様の箇所以外に反射されるのを遮断して前記装飾模様をトリミングするトリミング層を有することを特徴とする請求項１記載の装飾用パネル。
【請求項３】
前記光反射部材は、前記基材を透過して前記光反射部材に入射される光を回折光に変換して少なくとも前記装飾模様の箇所に向け反射させる光学素子であることを特徴とする請求項１または２記載の装飾用パネル。
【請求項４】
前記光学素子は、入射光を回折光に変換して反射する反射型回折格子、ホログラムフィルム、光ディスクの何れかであることを特徴とする請求項３記載の装飾用パネル。
【請求項５】
前記光反射部材は不透明な基板上に設けられ、前記光反射部材を含む前記基板は不透明な支持部材を介して前記基材の前記光入射面と反対の面に固定されていることを特徴とする請求項１乃至３の何れか１項に記載の装飾用パネル。
【請求項６】
前記支持部材は、前記光反射部材で反射される反射光が前記装飾模様の箇所以外に反射されるのを遮断して前記装飾模様をトリミングするトリミング枠部を有することを特徴とする請求項５記載の装飾用パネル。
【請求項７】
前記反射面は、三角屋根型、台形屋根型、半球屋根型、半楕円球屋根型等の凹状または凸状の三次元形状を呈することを特徴とする請求項１記載の装飾用パネル。
【請求項８】
光入射面及び該光入射面と反対の面の少なくとも一方の面に装飾模様を有する有色透明または無色透明もしくは有色半透明な基材と、
前記基材の前記光入射面と反対の面に空間を介して対向配置され、前記基材を透過した光を少なくとも前記装飾模様の箇所に向け反射させる光反射部材とを備え、
前記装飾模様は、前記基材に入射される入射光を反射または透過するとともに当該反射する光の輝度を不規則に変化させて前記装飾模様に光の明暗を生じさせるためにカオス理論の式に基づいた三次元形状を呈する複数の反射面を前記少なくとも一方の面に沿い配列形成することで構成される、
ことを特徴とする装飾用パネル。
【請求項９】
前記光反射部材は、該光反射部材で反射される反射光が前記装飾模様の箇所以外に反射されるのを遮断して前記装飾模様をトリミングするトリミング層を有することを特徴とする請求項８記載の装飾用パネル。
【請求項１０】
前記光反射部材は、前記基材を透過して前記光反射部材に入射される光を回折光に変換して少なくとも前記装飾模様の箇所に向け反射させる光学素子であることを特徴とする請求項９または１０記載の装飾用パネル。
【請求項１１】
前記光学素子は、入射光を回折光に変換して反射する反射型回折格子、ホログラムフィルム、光ディスクの何れかであることを特徴とする請求項１０記載の装飾用パネル。
【請求項１２】
前記光反射部材は不透明な基板上に設けられ、前記光反射部材を含む前記基板は不透明な支持部材を介して前記基材の前記光入射面と反対の面に固定されていることを特徴とする請求項８乃至１０の何れか１項に記載の装飾用パネル。
【請求項１３】
前記支持部材は、前記光反射部材で反射される反射光が前記装飾模様の箇所以外に反射されるのを遮断して前記装飾模様をトリミングするトリミング枠部を有することを特徴とする請求項１２記載の装飾用パネル。
【請求項１４】
前記反射面は、三角屋根型、台形屋根型、半球屋根型、半楕円球屋根型等の凹状または凸状の三次元形状を呈することを特徴とする請求項８記載の装飾用パネル。
【発明の詳細な説明】
【技術分野】
【０００１】
本発明は、車両用インストルメントパネルの装飾または家具の扉表面や引き出し用鏡板の装飾、携帯電話機本体の表面の装飾、電化製品の表面の装飾などに使用される装飾用パネルに関し、さらに詳しくは、光透過性基材に形成された装飾用の模様パターンを可視領域の色光を利用して任意の色で輝光表示できるようにした装飾用パネルに関するものである。
【背景技術】
【０００２】
従来、例えば自動車に用いられる装飾パネルとして、乗用車の後部端のリアコンビネーションランプ間に装着されるガーニッシュが知られている（特許文献１参照）。
【０００３】
この種の装飾パネルは、アクリル等の透明な合成樹脂材からなるカバーと、このカバーを自動車の車体に取り付けるための取付基材とを備え、カバーの外表面は平滑な面に加工されているとともに取付基材と相対向する内表面には細かい凹凸模様（シボ）が形成されている。また、カバーの内表面と相対向する取付基材の表面には平面的に連続した凹球状の魚眼を形成し、さらに、この凹球状の魚眼にシルバーメタリック塗料を塗布してメタリック塗膜面が形成されている。
【０００４】
このような装飾パネルにおいては、カバーを透過した光はカバー内表面の細かい凹凸模様（シボ）により複雑に散乱され、この散乱光が取付基材のメタリック塗膜面に入射されると、凹球状の魚眼形状からくる凹面鏡の作用によって、その入射光の反射の乱れが集約された反射光となり、これにより、フレネルレンズの効果を出して、奥行きの深さを表現できる装飾パネルを提供できるようにしている。
【特許文献１】特開平４−７８６３２号公報
【発明の開示】
【発明が解決しようとする課題】
【０００５】
しかし、このような従来の装飾パネルでは、装飾パネルを構成する取付基材のメタリック塗膜面は凹球状の凹面鏡からなり、この凹面鏡でカバーの凹凸模様で散乱されて入射される光を集約された反射光、すなわち凹面鏡の大きさに応じた径のスポット光として反射するものであるため、このスポット状反射光の輝度はほとんど均一であるとともに、装飾パネルに対し視点を変えてもスポット光の輝度は変化しない。その結果、インストルメントパネルやドアートリムなどの自動車内装部品の装飾や電化製品などの装飾には変化が乏しく、かつ見栄えが低いという問題があった。
【０００６】
本発明は上記のような従来の問題を解決するためになされたもので、光透過性基材に形成された装飾模様を可視領域の光を利用して任意の色で輝光表示できるとともに、変化に富んだ見栄えの良い光学的装飾を可能にし、併せて見る者の視覚に作用して、癒し、くつろぎ、または安らぎを与える光学的装飾効果を発揮できる装飾用パネルを提供することを目的とする。
【課題を解決するための手段】
【０００７】
上記の目的を達成するために請求項１発明は、装飾用パネルであって、光入射面及び該光入射面と反対の面の少なくとも一方の面に装飾模様を有する有色透明または無色透明もしくは有色半透明な基材と、前記基材の前記光入射面と反対の面に空間を介して対向配置され、前記基材を透過した光を少なくとも前記装飾模様の箇所に向け反射させる光反射部材とを備え、前記装飾模様は、前記基材に入射される入射光を反射しまたは透過するとともに前記反射する光の輝度に不規則に変化する１／ｆゆらぎを与えて前記装飾模様に光の明暗を生じさせるための三次元形状を呈する複数の反射面を前記少なくとも一方の面に沿い配列形成することで構成されることを特徴とする。
【０００８】
請求項２の発明は、請求項１記載の装飾用パネルにおいて、前記光反射部材は、該光反射部材で反射される反射光が前記装飾模様の箇所以外に反射されるのを遮断して前記装飾模様をトリミングするトリミング層を有することを特徴とする。
【０００９】
請求項３の発明は、請求項１または２記載の装飾用パネルにおいて、前記光反射部材は、前記基材を透過して前記光反射部材に入射される光を回折光に変換して少なくとも前記装飾模様の箇所に向け反射させる光学素子であることを特徴とする。
【００１０】
請求項４の発明は、請求項３記載の装飾用パネルにおいて、前記光学素子は、入射光を回折光に変換して反射する反射型回折格子、ホログラムフィルム、光ディスクの何れかであることを特徴とする。
【００１１】
請求項５の発明は、請求項１乃至３の何れか１項に記載の装飾用パネルにおいて、前記光反射部材は不透明な基板上に設けられ、前記光反射部材を含む前記基板は不透明な支持部材を介して前記基材の前記光入射面と反対の面に固定されていることを特徴とする。
【００１２】
請求項６の発明は、請求項５記載の装飾用パネルにおいて、前記支持部材は、前記光反射部材で反射される反射光が前記装飾模様の箇所以外に反射されるのを遮断して前記装飾模様をトリミングするトリミング枠部を有することを特徴とする。
【００１３】
請求項７の発明は、請求項１記載の装飾用パネルにおいて、前記反射面は、三角屋根型、台形屋根型、半球屋根型、半楕円球屋根型等の凹状または凸状の三次元形状を呈することを特徴とする。
【００１４】
請求項８の発明は、装飾用パネルであって、光入射面及び該光入射面と反対の面の少なくとも一方の面に装飾模様を有する有色透明または無色透明もしくは有色半透明な基材と、前記基材の前記光入射面と反対の面に空間を介して対向配置され、前記基材を透過した光を少なくとも前記装飾模様の箇所に向け反射させる光反射部材とを備え、前記装飾模様は、前記基材に入射される入射光を反射または透過するとともに当該反射する光の輝度を不規則に変化させて前記装飾模様に光の明暗を生じさせるためにカオス理論の式に基づいた三次元形状を呈する複数の反射面を前記少なくとも一方の面に沿い配列形成することで構成されることを特徴とする。
【００１５】
請求項９の発明は、請求項８記載の装飾用パネルにおいて、前記光反射部材は、該光反射部材で反射される反射光が前記装飾模様の箇所以外に反射されるのを遮断して前記装飾模様をトリミングするトリミング層を有することを特徴とする。
【００１６】
請求項１０の発明は、請求項９または１０記載の装飾用パネルにおいて、前記光反射部材は、前記基材を透過して前記光反射部材に入射される光を回折光に変換して少なくとも前記装飾模様の箇所に向け反射させる光学素子であることを特徴とする。
【００１７】
請求項１１の発明は、請求項１０記載の装飾用パネルにおいて、前記光学素子は、入射光を回折光に変換して反射する反射型回折格子、ホログラムフィルム、光ディスクの何れかであることを特徴とする。
【００１８】
請求項１２の発明は、請求項８乃至１０の何れか１項に記載の装飾用パネルにおいて、前記光反射部材は不透明な基板上に設けられ、前記光反射部材を含む前記基板は不透明な支持部材を介して前記基材の前記光入射面と反対の面に固定されていることを特徴とする。
【００１９】
請求項１３の発明は、請求項１２記載の装飾用パネルにおいて、前記支持部材は、前記光反射部材で反射される反射光が前記装飾模様の箇所以外に反射されるのを遮断して前記装飾模様をトリミングするトリミング枠部を有することを特徴とする。
【００２０】
請求項１４の発明は、請求項８記載の装飾用パネルにおいて、前記反射面は、三角屋根型、台形屋根型、半球屋根型、半楕円球屋根型等の凹状または凸状の三次元形状を呈することを特徴とする。
【発明の効果】
【００２１】
本発明の装飾用パネルによれば、基材の光入射面及びこれと反対の面の何れか一方の面に沿い配列形成した三次元形状の複数の反射面から装飾模様を構成し、この反射面により反射される光の輝度に不規則に変化する１／ｆゆらぎを与えて装飾模様に光の明暗を生じさせ、さらに、基材を透過した光を光反射部材により回折光に変換して装飾模様に向け反射するように構成したので、基材の装飾模様の色を看者と装飾用パネルに対する視角または光入射角度及び回折光に応じて変化させることができるとともに、装飾模様に１／ｆゆらぎによる変化に富んだ見栄えの良い光学的装飾が可能になり、併せて見る者の視覚に作用して、癒し、くつろぎ、または安らぎを与える光学的装飾効果を発揮できる。
【００２２】
また、本発明の装飾用パネルによれば、カオス理論の式に基づいた三次元形状の複数の反射面を前記基材の光入射側の面と反対の面との何れか一方の面に沿い配列形成することで装飾模様を構成し、この反射面により反射される光の輝度に不規則に変化する明暗を生じさせて装飾模様に光の明暗を付け、さらに、基材を透過した光を光反射部材により回折光に変換して装飾模様に向け反射するように構成したので、基材の装飾模様の色を看者と装飾用パネルに対する視角または光入射角度及び回折光が装飾用パネルを見る角度に応じて回折光により変化させることができるとともに、光の不規則なゆらぎによる変化に富んだ見栄えの良い光学的装飾が可能になり、併せて見る者の視覚に作用して、癒し、くつろぎ、または安らぎを与える光学的装飾効果を発揮できる。
【００２３】
また、本発明によれば、光反射部材は空間を介して基材の光入射面と反対の面に対向配置されているため、光反射部材による回折の効果を高めることができ、装飾用パネルの見栄えを強調することができる。
【００２４】
また、また、本発明によれば、トリミング層または光反射部材の支持部材を利用して装飾模様をトリミングするように構成したので、基材の装飾模様がその他の部分よりも目立たせることができ、装飾用パネルの見栄えを更に強調することができる。
【発明を実施するための最良の形態】
【００２５】
次に、本発明にかかる装飾用パネルの実施の形態について図面を参照して説明する。なお、本発明の装飾用パネルは、以下に説明する実施の形態に限定されるものではない。
（実施の形態１）
図１は本発明にかかる実施の形態１を示す装飾用パネルの平面図、図２は図１の２−２線に沿う拡大断面図、図３は本実施の形態１における装飾用パネルの基材に形成された多数の反射面を基材の裏面（光入射面と反対の面に相当）側から見た時の一例を示す一部の拡大斜視図、図４は図３の４−４線に沿う箇所に対応する基材とこれに組み付けられる光反射部材、基板及び支持部材を含めた装飾用パネルの一部を拡大して示した断面図、図５は図３の５−５線に沿う箇所に対応する基材とこれに組み付けられる光反射部材、基板及び支持部材を含めた装飾用パネルの一部を拡大して示した断面図、図６は本実施の形態１における装飾用パネルの反射面及び光反射部材の光に対する作用を模式的に示す断面図である。
【００２６】
本実施の形態１に示す装飾用パネル１０は、図１及び図２に示すように、基材１１、基板１３、光反射部材１６、支持部材１７、トリミング層１８などを含んで構成される。
【００２７】
基材１１は、アクリルやポリカーボネートなどの透明な合成樹脂材またはガラス等の一定厚さの透明な板材から構成される。この基材１１の光入射面１１ａと反対の面１１ｂには、例えばモルフォ蝶をデザイン化してなる装飾模様１２が形成されている。
【００２８】
なお、基材１１に成形に使用される材料は、無色透明な合成樹脂材やガラスなどに限らず、有色透明または有色半透明な材料で成形することができる。
【００２９】
基板１３は、基材１１の光入射面（基材１１の表面）１１ａと反対の面（基材１１の裏面）１１ｂに光反射部材１６を相対向して配置するためのもので、不透明な樹脂製の板材からなり、光反射部材１６は基板１３の上面、すなわち装飾模様１２の形成領域を含めた基材１１の裏面１１ｂに積層されている。
【００３０】
光反射部材１６は、基材１１を透過して光反射部材１６に入射される光を回折光に変換して装飾模様１２の箇所を含めた光入射面１１ａと反対の面１１ｂに向け反射させるものであり、反射型回折格子、ホログラムフィルム、ＣＤ，ＤＶＤのようなピットからなる反射面を有する光ディスク等から構成される。
【００３１】
光入射面１１ａと反対の面１１ｂと対向する光反射部材１６の面には、光反射部材１６で反射される回折光が前記装飾模様の箇所以外に反射されるのを遮断して装飾模様１２をトリミングするトリミング層１８が形成されている。このトリミング層１８は装飾模様１２全体の構図を整えるとともに装飾模様１２の全部または一部に光反射部材１６からの回折光を反射させて装飾模様１２を回折光で装飾するためのものである。
【００３２】
支持部材１７は、光反射部材１６を含む基板１３を基材１１の光入射面１１ａと反対の面１１ｂに固定するとともに基材１１と光反射部材１６との間に０．２ｍｍ以上１０ｍｍ以下の空間１４を形成するためのものであり、不透明な樹脂材から構成される。
【００３３】
なお、装飾用パネル１０の照明光１５には、各種照明灯の光または太陽光等の自然光などが用いられる。
【００３４】
前記装飾模様１２は、図２及び図３に示すように、基材１１の光入射面１１ａと反対の面である基材１１の裏面１１ｂに、三角屋根型の三次元形状を呈する反射面１２１を裏面１１ｂに沿い任意のピッチで配列形成することで構成される。これにより、反射面１２１を基材１１の光入射面１１ａ側から見た場合、反射面１２１の空間１４との界面１２１ａは凹状の三次元形状を呈することになる。
【００３５】
このような反射面１２１は、基材１１にその光入射面１１ａ側から入射された入射光を反射または透過するとともに当該反射する光の輝度に１／ｆゆらぎの明暗を生じさせて装飾模様１２に光の明暗を付けるためのものである。
【００３６】
次に、反射面１２１で生成される反射光の輝度に不規則に変化する明暗を生じさせる場合の具体例について図３〜図５を参照して説明する。
【００３７】
反射面１２１は、図３に示すように、三角屋根型の基本形状を呈し、この基本形状に１／ｆゆらぎを生じさせるのに必要な凹状の三次元形状を付与することにより構成される。この凹状の反射面１２１は、その空間１４との界面の反射による輝度に木漏れ日または小川の水の流れに似た不規則に変化する明暗を生じせるものであり、その形状は数１に示す１／ｆゆらぎ関数ｆ（ｘ）より決定される。
【００３８】
【数１】
2009269222.tif 000003
すなわち、１／ｆゆらぎ関数ｆ（ｘ）で決定される凹状反射面１２１ａは、周波数の違う複数のサイン曲線（２ｉｘ：周波数）に適当な係数２−ｉ（２−ｉ：振幅（強さ））をかけて加算した形状となる。これをグラフに表すと図７に示す曲線７１１のようになる。
【００３９】
なお、符号７１２は周波数の異なる複数のサイン曲線を示す。また、１／ｆは、１／ｆゆらぎ関数ｆ（ｘ）を決める周波数成分の強さ、すなわち振幅が周波数ｆに反比例する式を表している。
【００４０】
上記反射面１２１は、図３〜図５に示すように、予め決めた一定の間隔Ｌ（０<Ｌ<１０ｍｍ）で行、列方向に連続して配列され、そして、互いに隣接する各行の反射面１２１は列方向に１Ｌ分ずらして配列されている。また、三角屋根型の凹状反射面１２１の深さｈは、０≦ｈ≦２０ｍｍの範囲に設定される。また、三角屋根型の凹状反射面１２１の反射角θ１は、その材質がポリカーボネートの場合、約４０度であり、さらに、三角屋根型の凹状反射面１２１の傾斜角θ２は、０≦θ２≦９０°の範囲に設定される。
【００４１】
このような本実施の形態１に示す装飾用パネル１０において、図６に示すように、基材１１の光入射側の面（表面）１１ａが照明光１５により照射されると、この照明光１５は図６に示すように入射光１５ａとなって基材１１内を進行し多数の反射面１２１に達する。そして、反射面１２１に達した入射光１５ａの一部は１／ｆゆらぎ関数ｆ（ｘ）より決定された反射面１２１の空間１４との界面１２１ａの形状に応じて矢印１５ｂのように基材１１の表面１１ａ側へ反射される。これに伴い、基材１１の表面１１ａから出射される反射光１５ｂの輝度に１／ｆゆらぎ関数ｆ（ｘ）に応じて不規則に変化する明暗パターンを生じさせるとともに光波長のシフトによる色収差を生じさせる。
【００４２】
また、多数の反射面１２１の空間１４との界面１２１ａを透過して光反射部材１６に到達した光１５ｃは、光反射部材１６回折作用によって回折光となり、反射面１２１に向けて反射される。これにより、図１に示すように装飾用パネル１０の表面には、モルフォ蝶をデザイン化してなる装飾模様１２が、看る者と装飾用パネル１０に対する視角または光入射角度によって変化する色によって着色表示される。すなわち、装飾模様１２は、これを構成する反射面１２１の空間１４との界面１２１ａに応じて不規則に変化する光の明暗と光反射部材１６からの回折光によって変化する光色とが合成された濃淡色に着色される。
【００４３】
上記のような本実施の形態１に示す装飾用パネル１０によれば、基材１１の光入射側である表面１１ａと反対の面である裏面１１ｂに多数の反射面１２１を基材１１の裏面１１ｂに沿い配列形成することで装飾模様１２を構成し、そして、多数の反射面１２１を三角屋根型の三次元形状を呈する凹状反射面とすることにより、この反射面１２１で反射される光の輝度に１／ｆゆらぎの明暗を生じさせて装飾模様１２に光の明暗を付け、さらに、多数の反射面１２１の凹状反射面１２１ａを透過して光反射部材１６に到達する光１５ｃに光反射部材１６の回折作用による回折光を反射面１２１に向け反射させ、看る者と装飾用パネル１０に対する視角または光の入射角度に応じて装飾模様１２の色を変化させるとともに、上記光の明暗に合わせて装飾模様を表示するように構成したので、基材１１に形成された装飾模様１２を可視領域の光を利用して変化する色で輝光表示させることができるとともに、装飾模様１２に対し１／ｆゆらぎによる変化に富んだ見栄えの良い光学的装飾が可能になり、回折光が装飾模様１２の部分のみを透過して装飾模様１２を際立たせ、併せて装飾用パネル１０を見る者の視覚に作用して、癒し、くつろぎ、または安らぎを与える光学的装飾効果を発揮させることができる。
【００４４】
また、本実施の形態１によれば、光反射部材１６は空間１４を介して基材１１の光入射面と反対の面１１ｂに対向配置されているため、光反射部材１６による回折の効果を高めることができ、装飾用パネル１０の見栄えを強調することができる。
【００４５】
また、本実施の形態１によれば、トリミング層１８を利用して装飾模様１２をトリミングするように構成したので、基材１１の装飾模様１２をその他の部分よりも目立たせることができ、装飾用パネル１０の見栄えを更に強調することができる。
【００４６】
また、光反射部材１６に既存の反射型回折格子やホログラムフィルム、ＣＤ，ＤＶＤのような光ディスクを用いることにより、低コストで回折光を発生させることができ、装飾用パネルを低コストで製作することができる。
【００４７】
なお、本実施の形態１にかかる装飾用パネルの基材の反射面の基本形状は、上記実施の形態に示した三角屋根型のものに限らず、台形屋根型、半球屋根型の他、小反射部での反射光の輝度に不規則に変化する明暗を生じさせることができる形状のものであれば、どのような形状のものでも良い。
【００４８】
また、本実施の形態１にかかる装飾用パネル１０の基材１１の反射面１２１を形成する三次元の凹状反射面は、数２に示す１／ｆゆらぎ関数で決定される形状のものに限らず、乱数表を利用して反射面１２１の形状を決定するようにすることもできる。
【００４９】
また、本実施の形態１の装飾用パネル１０の基材１１に形成される装飾模様１２は、本実施の形態１に示したモルフォ蝶をデザイン化したものに限らず、車両用インストルメントパネルの装飾または家具の扉表面や引き出し用鏡板の装飾、携帯電話機本体の表面の装飾、電化製品の表面の装飾などに使用される装飾用パネルや、文字、ロゴマーク、木目などをデザイン化したものであってもよい。
（実施の形態２）
図８により、本発明にかかる装飾用パネルの実施の形態２について説明する。
【００５０】
この図８に示す装飾用パネル１０は、上記図２に示したトリミング層１８を省略し、これに代えて、支持部材１７を利用して装飾模様１２をトリミングするようにしたものである。
【００５１】
すなわち、図８に示すように、支持部材１７の内側縁部１７ａを空間１４の内側へ向け延在し、この延在縁部１７ａを装飾模様１２の輪郭に合わせてカットすることにより、装飾模様１２をトリミングした。この支持部材１７の内側縁部１７ａが光反射部材１６で反射される回折光が前記装飾模様の箇所以外に反射されるのを遮断して装飾模様１２をトリミングするトリミング枠部を構成する。
【００５２】
このようなトリミング方法においても、上記実施の形態１に示したトリミング層１８によるトリミング方式と同様な効果を得ることができる。
（実施の形態３）
次に、本発明にかかる装飾用パネルの実施の形態３について図９〜図１１を参照して説明する。
【００５３】
図９は本発明にかかる実施の形態２の装飾用パネルを模式的に示す平面図、図１０は図９の９−９線に沿う拡大断面図、図１１は本実施の形態３における装飾用パネルの基材に形成された多数の反射面を基材の裏面（光入射面と反対の面に相当）側から見た時の一例を示す一部の斜視図、図１２は図１１の１１−１１線に沿う拡大断面図、図１３は本実施の形態３における装飾模様の表面形状の一例を示す波形図、図１４は本実施の形態３における装飾用パネルの三次元形状の反射面及び光反射部材の光に対する作用を模式的に示す断面図である。
【００５４】
本実施の形態３に示す装飾用パネル２０は、図９及び図１０に示すように、基材２１、基板２３、光反射部材２６、支持部材２７、トリミング層２８などを含んで構成される。
【００５５】
基材２１は、アクリルやポリカーボネートなどの透明な合成樹脂材またはガラス等の一定厚さの透明な板材から構成される。この基材２１の光入射面２１ａと反対の面２１ｂには、例えばモルフォ蝶をデザイン化してなる装飾模様２２が形成されている。
【００５６】
なお、基材２１に成形に使用される材料は、無色透明な合成樹脂材やガラスなどに限らず、有色透明または有色半透明な材料で成形することができる。
【００５７】
基板２３は、基材２１の光入射面（基材２１の表面）２１ａと反対の面（基材１１の裏面）２１ｂに光反射部材１６を相対向して配置するためのもので、不透明な樹脂製の板材からなり、光反射部材２６は基板２３の上面、すなわち装飾模様２２の形成領域を含めた基材２１の裏面２１ｂに積層されている。
【００５８】
光反射部材２６は、基材２１を透過して光反射部材２６に入射される光を回折光に変換して装飾模様２２の箇所を含めた光入射面２１ａと反対の面２１ｂに向け反射させるものであり、反射型回折格子、ホログラムフィルム、ＣＤ，ＤＶＤのようなピットからなる反射面を有する光ディスク等から構成される。
【００５９】
光入射面２１ａと反対の面２１ｂと対向する光反射部材２６の面には、光反射部材２６で反射される回折光が前記装飾模様の箇所以外に反射されるのを遮断して装飾模様２２をトリミングするトリミング層２８が形成されている。このトリミング層２８は装飾模様１２全体の構図を整えるとともに装飾模様２２の全部または一部に光反射部材２６からの回折光を反射させて装飾模様２２を回折光で装飾するためのものである。
【００６０】
支持部材２７は、光反射部材２６を含む基板２３を基材２１の光入射面２１ａと反対の面２１ｂに固定するとともに基材２１と光反射部材２６との間に０．２ｍｍ以上１０ｍｍ以下の空間２４を形成するためのものであり、不透明な樹脂材から構成される。
【００６１】
なお、装飾用パネル２０の照明光１５には、各種照明灯の光または太陽光等の自然光などが用いられる。
【００６２】
前記装飾模様２２は、図１１及び図１２に示すように、基材２１の光入射面２１ａと反対の面である基材２１の裏面２１ｂに、形状が不揃いな三次元形状を呈する反射面２２１を裏面２１ｂに沿い任意のピッチで配列形成することで構成される。これにより、反射面２２１を基材２１の光入射面２１ａ側から見た場合、反射面２２１の空間２４との界面２２１ａは凹状の三次元形状を呈することになる。
【００６３】
このような反射面２２１は、基材２１にその光入射面２１ａ側から入射された入射光を反射または透過するとともに当該反射する光の輝度に不規則に変化する明暗を生じさせて装飾模様２２に光の明暗を付けるためのものである。
【００６４】
次に、反射面２２１で生成される反射光の輝度に不規則に変化する明暗を生じさせる場合の具体例について図１４を参照して説明する。
【００６５】
反射面２２１は、カオス理論の関数に基づいて形成された不規則な三次元形状を呈している。
【００６６】
カオス理論の関数は数多く存在するが、本実施例の反射面の三次元形状は、数１に示すロジスティック関数により決定されている。
【００６７】
【数２】
2009269222.tif 000004
ロジスティック関数は、生物の個体数が世代を経てどのように変動するかを示すモデルである。ここで、ａ：は繁殖率を表し、Xn：はｎ世代目の個体数を表し、Xn+1：はｎ＋１世代目の個体数を表す。ここで、繁殖率ａを定数とし、世代ｎを横軸に、個体数Xnを縦軸に取り、ａに任意の数字を投入すると、例えば図１３に示すような波形の曲線が得られる。図１３の波形を縦方向または横方向に伸縮させることで、加工可能な波形に修正すると、不規則な三次元形状の反射面２２１からなる装飾模様２２の表面形状を得ることができる。
【００６８】
このような第２の実施の形態に示す装飾用パネル２０において、図１４に示すように、基材２１の光入射側の面（表面）２１ａが照明光１５により照射されると、この照射光１５は、上記実施の形態１に示す場合と同様に入射光１５ａとなって基材２１内を進行し反射面２２１に達する。そして、反射面２２１に達した入射光１５ａの一部はロジスティック関数により決定された反射面２２１の形状に応じて矢印１５ｂのように基材２１の表面２１ａへ反射される。これに伴い、基材２１ａから出射される反射光１５ｂの輝度に光の明暗パターンを生じさせる。
【００６９】
また、反射面２２１を透過して光反射部材２６に到達した光１５ｃは、光反射部材２６の回折作用によって回折光となり、反射面２２１に向けて反射される。これにより、図９に示すように装飾用パネル２０の表面には、例えばモルフォ蝶をデザイン化してなる装飾模様２２が、看る者と装飾用パネル２０に対する視角または光入射角度によって変化する色によって着色表示される。すなわち、装飾模様２２は、これを構成する反射面２２１に応じて不規則に変化する光の明暗と光反射部材２６からの回折光によって変化する光色とが合成された濃淡色に着色される。
【００７０】
したがって、本実施の形態３に示す装飾用パネル２０によれば、基材２１の光入射側である表面２１ａと反対の面である裏面２１ｂに反射面２２１で装飾模様２２を構成することにより、反射面２２１で反射される光の輝度に明暗を生じさせて装飾模様２２に光の明暗を付け、さらに、反射面２２１を透過して光反射部材２６に到達する光１５ｃに光反射部材２６の回折作用による回折光を反射面１２１に向け反射させ、看る者と装飾用パネル２０に対する視角または光の入射角度に応じて装飾模様２２の色を変化させ、かつ上記光の明暗に合わせて装飾模様を表示するように構成したので、基材２１に形成された装飾模様２２を可視領域の光を利用して変化する色で輝光表示させることができるとともに、装飾模様２２に対し光のゆらぎによる変化に富んだ見栄えの良い光学的装飾が可能になり、回折光が装飾模様１２の部分のみを透過して装飾模様１２を際立たせ、併せて装飾用パネル２０を見る者の視覚に作用して、癒し、くつろぎ、または安らぎを与える光学的装飾効果を発揮させることができる。
【００７１】
また、本実施の形態３によれば、光反射部材２６は空間２４を介して基材２１の光入射面と反対の面２１ｂに対向配置されているため、光反射部材２６による回折の効果を高めることができ、装飾用パネル２０の見栄えを強調することができる。
【００７２】
また、本実施の形態３によれば、トリミング層２８を利用して装飾模様２２をトリミングするように構成したので、基材２１の装飾模様２２がその他の部分よりも目立たせることができ、装飾用パネル２０の見栄えを更に強調することができる。
【００７３】
また、光反射部材２６に既存の反射型回折格子やホログラムフィルム、ＣＤ，ＤＶＤのような光ディスクを用いることにより、低コストで回折光を発生させることができ、装飾用パネルを低コストで製作することができる。
（実施の形態４）
図１５により、本発明にかかる装飾用パネルの実施の形態４について説明する。
【００７４】
この図１５に示す装飾用パネル２０は、上記図１０に示したトリミング層２８を省略し、これに代えて、支持部材２７を利用して装飾模様２２をトリミングするようにしたものである。
【００７５】
すなわち、図１５に示すように、支持部材２７の内側縁部２７ａを空間４４の内側へ向け延在し、この延在縁部２７ａを装飾模様２２の輪郭に合わせてカットすることにより、装飾模様２２をトリミングした。この支持部材２７の内側縁部２７ａが光反射部材２６で反射される回折光が前記装飾模様の箇所以外に反射されるのを遮断して装飾模様２２をトリミングするトリミング枠部を構成する。
【００７６】
このようなトリミング方法においても、上記実施の形態３に示したトリミング層２８によるトリミング方式と同様な効果を得ることができる。
【００７７】
なお、本実施の形態３の装飾用パネル２０の基材２１に形成される装飾模様２２は、本実施の形態３に示したロジスティック関数によって決定されるものに限らず、カオス理論の関数に基づいて決定されるものであれば、どのような形状のものでも良い。
【００７８】
また、本発明の装飾用パネルにおいては、上記実施例の形態に示したモルフォ蝶をデザイン化してなる装飾用模様やモルフォ蝶の色合いを発現した光学的装飾を表すものに限らず、白、黄色、紅、緑、青などの単色又はこれらの色が混ぜ合わされた色合いのハリ光沢又は真珠光沢を有するオパールのような華飾性を発現することも可能である。
【図面の簡単な説明】
【００７９】
【図１】本発明にかかる実施の形態１を示す装飾用パネルの平面図である。
【図２】図１の２−２線に沿う拡大断面図である。
【図３】本実施の形態１における装飾用パネルの基材に形成された多数の反射面を基材の裏面（光入射面と反対面に相当）側から見た時の一例を示す一部の拡大斜視図である。
【図４】図３の４−４線に沿う箇所に対応する基材とこれに組み付けられる光反射部材、基板及び支持部材を含めた装飾用パネルの一部を拡大して示した断面図である。
【図５】図３の５−５線に沿う箇所に対応する基材とこれに組み付けられる光反射部材、基板及び支持部材を含めた装飾用パネルの一部を拡大して示した断面図である。
【図６】本実施の形態１における装飾用パネルの反射面及び光反射部材の光に対する作用を模式的に示す断面図である。
【図７】本発明の１／ｆゆらぎ関数で決定される凹状反射面の形状特性を表した場合の一例を示すグラフである。
【図８】本発明にかかる実施の形態２を示す装飾用パネルの断面図である。
【図９】本発明にかかる実施の形態２の装飾用パネルを模式的に示す平面図である。
【図１０】図９の９−９線に沿う拡大断面図である。
【図１１】本実施の形態３における装飾用パネルの基材に形成された多数の反射面を基材の裏面（光入射面と反対面に相当）側から見た時の一例を示す一部の斜視図である。
【図１２】図１１の１１−１１線に沿う拡大断面図である。
【図１３】本実施の形態３における装飾模様の表面形状の一例を示す波形図である。
【図１４】本実施の形態３における装飾用パネルの三次元形状の反射面及び光反射部材の光に対する作用を模式的に示す断面図である。
【図１５】本発明にかかる実施の形態４を示す装飾用パネルの断面図である。
【符号の説明】
【００８０】
１０，２０        装飾用パネル
１１，２１        基材
１１ａ，２１ａ    基材の表面
１１ｂ，２１ｂ    基材の裏面
１２，２２        装飾模様
１２１，２２１    反射面
１２１ａ，２２１ａ    界面
１３，２３        基板
１４，２４        空間
１６，２６        光反射部材
１７，２７        支持部材
１７ａ，２７ａ    縁部（トリミング枠部）
１８，２８        トリミング層
【図１】
2009269222.tif 000005
【図２】
2009269222.tif 000006
【図３】
2009269222.tif 000007
【図４】
2009269222.tif 000008
【図５】
2009269222.tif 000009
【図６】
2009269222.tif 000010
【図７】
2009269222.tif 000011
【図８】
2009269222.tif 000012
【図９】
2009269222.tif 000013
【図１０】
2009269222.tif 000014
【図１１】
2009269222.tif 000015
【図１２】
2009269222.tif 000016
【図１３】
2009269222.tif 000017
【図１４】
2009269222.tif 000018
【図１５】
2009269222.tif 000019
【手続補正書】
【提出日】平成20年5月20日(2008.5.20)
【手続補正１】
【補正対象書類名】明細書
【補正対象項目名】００３８
【補正方法】変更
【補正の内容】
【００３８】
【数１】
2009269222.tif 000020
すなわち、１／ｆゆらぎ関数ｆ（ｘ）で決定される凹状反射面１２１ａは、周波数の違う複数のサイン曲線（２ｉｘ：周波数）に適当な係数２−ｉ（２−ｉ：振幅（強さ））をかけて加算した形状となる。これをグラフに表すと図７に示す曲線７１１のようになる。